(57)【要約】【課題】ケーブルと光電変換モジュールとの両者が装着される光電気複合コネクタ装置であって、その組立工程における一連の作業を容易かつ効率的に進めることができ、しかも、装着された光電変換モジュールの再利用が可能とされるものを提供する。【解決手段】第１の導電性シェル１６Ａが、ケーブル固定部１８に複数のケーブル１２が取り付けられた絶縁ハウジング１５に取り付けられたもとで、光電変換モジュール固定部３０に光電変換モジュール１４が取り付けられた第２の導電性シェル１６Ｂが、絶縁ハウジング１５を挟んで第１の導電性シェル１６Ａに対向せしめられて、光電変換モジュール固定部３０に取り付けられた光電変換モジュール１４が絶縁ハウジング１５に形成された光電変換モジュール収容部２０に配されるとともに、第２の導電性シェル１６Ｂの係合部３４；３５が第１の導電性シェル１６Ａの係合部２３；２４に係合せしめられる。【選択図】図１
2014096266.tif 000002
【特許請求の範囲】
【請求項１】
複数のケーブルが夫々電気的に接続される複数のケーブル接続端子が設けられ、複数のケーブルが取り付けられるケーブル固定部と、光電変換モジュールが備える接続端子が接触接続される光電変換モジュール接続端子が設けられ、光電変換モジュールが配される光電変換モジュール収容部と、上記複数のケーブル接続端子及び上記光電変換モジュール接続端子の夫々の部分が配された相手方コネクタ装置との連結部とが形成された絶縁ハウジングと、
相互係合する第１及び第２の係合部を夫々有し、上記絶縁ハウジングを挟んで対向配置される第１及び第２の導電性シェルと、
を備え、
上記第１の導電性シェルに上記絶縁ハウジングに係合するハウジング係合部が形成されるとともに、上記第２の導電性シェルに光電変換モジュールが取り付けられる光電変換モジュール固定部が形成され、
上記第１の導電性シェルが、上記ケーブル固定部に複数のケーブルが取り付けられた上記絶縁ハウジングに、上記ハウジング係合部を該絶縁ハウジングに係合させて取り付けられたもとで、上記光電変換モジュール固定部に光電変換モジュールが取り付けられた上記第２の導電性シェルが、上記絶縁ハウジングを挟んで上記第１の導電性シェルに対向せしめられたとき、上記光電変換モジュール固定部に取り付けられた上記光電変換モジュールが上記絶縁ハウジングに形成された光電変換モジュール収容部に配されるとともに、上記第２の係合部が上記第１の係合部に係合せしめられることを特徴とする光電気複合コネクタ装置。
【請求項２】
上記絶縁ハウジングにおける上記ケーブル固定部及び光電変換モジュール収容部の夫々が、凹部を成すものとして形成されていることを特徴とする請求項１記載の光電気複合コネクタ装置。
【請求項３】
上記複数のケーブル接続端子が上記ケーブル固定部が成す凹部内に配列配置されており、上記光電変換モジュール接続端子が上記光電変換モジュール収容部が成す凹部内に配置されていることを特徴とする請求項２記載の光電気複合コネクタ装置。
【請求項４】
上記絶縁ハウジングが、上記ケーブル固定部及び光電変換モジュール収容部の夫々が成す凹部の底部を構成する平板状部を有しており、上記第１の導電性シェルが、上記平板状部の外面を覆うものとされ、上記第１の導電性シェルに対向せしめられた上記第２の導電性シェルが、上記ケーブル固定部及び光電変換モジュール収容部の夫々が成す凹部の開口部を部分的に覆うものとされることを特徴とする請求項２記載の光電気複合コネクタ装置。
【請求項５】
上記絶縁ハウジングにおける上記連結部が、上記複数のケーブル接続端子及び上記光電変換モジュール接続端子の夫々の一端が配列配置された突出部を成すものとして形成されていることを特徴とする請求項１記載の光電気複合コネクタ装置。
【請求項６】
上記第１の導電性シェルにおける上記光電変換モジュール固定部が、光電変換モジュールについての位置決めを行う位置規制部と上記光電変換モジュールを係止する係止爪部とが設けられたものとされることを特徴とする請求項１記載の光電気複合コネクタ装置。
【発明の詳細な説明】
【技術分野】
【０００１】
本願の特許請求の範囲に記載された発明は、導体ケーブルと光電変換モジュールとが装着されたもとで、例えば、ソリッド印刷配線基板等の主基板に配された相手方コネクタ装置との嵌合状態におかれ、導体ケーブル及び光電変換モジュールと相手方コネクタ装置が配された主基板との電気的接続を果す光電気複合コネクタ装置に関する。
【背景技術】
【０００２】
高周波電気信号の伝送を行う場合、同軸ケーブルを用いることが広く普及しているが、同軸ケーブルに加えて光ファイバーケーブルを用いて高周波電気信号を伝送することも提案されている。光ファイバーケーブルを用いて高周波電気信号を伝送する際には、送り側において、光電変換モジュールによって伝送すべき高周波電気信号を光信号に変換し、変換された光信号を光ファイバーケーブルに供給して、光信号が光ファイバーケーブルを通じて伝送される状態となし、受け側において、光ファイバーケーブルを通じて伝送された光信号を光電変換モジュールによって高周波電気信号に変換することにより、伝送された高周波電気信号を得る。従って、高周波電気信号の伝送に用いられる光ファイバーケーブルの両端部の夫々には、光電変換モジュールが配されることになる。
【０００３】
高周波電気信号の伝送に用いられる同軸ケーブルや同じく高周波電気信号の伝送に用いられる光ファイバーケーブルの端部に配された光電変換モジュールが、ソリッド印刷配線基板等とされる主基板に高周波電気信号を供給すべく、あるいは、主基板から高周波電気信号の供給を受けるべく、当該主基板に電気的に接続されるにあたっては、一対のコネクタ装置が用いられることが多い。即ち、同軸ケーブルの装着、あるいは、光ファイバーケーブルの端部に配された光電変換モジュールの装着がなされたケーブル側コネクタ装置と、主基板に配されて主基板との電気的接続がなされ、ケーブル側コネクタ装置との嵌合状態におかれる基板側コネクタ装置とが用いられるのである。
【０００４】
その際、ケーブル側コネクタ装置からみると、基板側コネクタ装置はケーブル側コネクタ装置にとっての相手方コネクタ装置となり、基板側コネクタ装置からみると、ケーブル側コネクタ装置は基板側コネクタ装置にとっての相手方コネクタ装置となる。そして、同軸ケーブルの装着、あるいは、光ファイバーケーブルの端部に配された光電変換モジュールの装着がなされたケーブル側コネクタ装置が、相手方コネクタ装置である主基板に配された基板側コネクタ装置に嵌合せしめられることにより、同軸ケーブル、あるいは、光ファイバーケーブルの端部に装着された光電変換モジュールが、主基板に電気的に接続された状態が得られる。
【０００５】
このようなもとで、同軸ケーブルの主基板との電気的接続及び光ファイバーケーブルの端部に配された光電変換モジュールの主基板との電気的接続を容易に行えるようにすべく、同軸ケーブルと光ファイバーケーブルの端部に配された光電変換モジュールとの両者を一つのケーブル側コネクタ装置に装着し、そのケーブル側コネクタ装置を主基板に配された基板側コネクタ装置に嵌合させることが従来提案されている（例えば、特許文献１参照。）。斯かる従来の提案によれば、一つのケーブル側コネクタ装置を基板側コネクタ装置に嵌合させるだけで、同軸ケーブルと光ファイバーケーブルの端部に配された光電変換モジュールとの両者を、主基板との電気的接続状態におくことができる。
【０００６】
上述の特許文献１に記載されている、同軸ケーブルと光ファイバーケーブルの端部に配された光電変換モジュールとの両者が装着されるケーブル側コネクタ装置 (コネクタ(31;32))にあっては、絶縁ハウジング（コネクタ本体(43)) が備えられている。そして、絶縁ハウジングには、配列配置された複数の同軸ケーブル（細径同軸ケーブル(24)) の夫々の端部が取り付けられるケーブル接続部(44)と光ファイバーケーブル（光ファイバ(25)) の端部に配された光電変換モジュール（光サブアセンブリ(52)) が取り付けられるファイバ接続部(45)が設けられている。また、絶縁ハウジングには、主基板（配線基板) に配された基板側コネクタ（レセプタクル(71)) に嵌合連結される連結部（接続部(42)) も設けられており、連結部には複数の接続端子(41)) が配列配置されている。
【０００７】
絶縁ハウジングに設けられたケーブル接続部には、配列配置された複数の同軸ケーブルの夫々の端部が収容されるケーブル収容部(46)が形成されており、ケーブル収容部には、複数の接続端子から夫々伸びた複数の接点(47)が、同軸ケーブルの端部において露出せしめられた中心導体(24a) が半田付けされるものとして配置されている。また、ケーブル接続部には、配列配置された複数の同軸ケーブルの夫々の外部導体(24b) に接続されたグラウンディングバー（グランドバー(49)) が固定される外部導体固定部(48)が形成されている。そして、ケーブル収容部に配された複数の接点の夫々に、配列配置された複数の同軸ケーブルの夫々の端部において露出せしめられた中心導体(24a) が半田付けされるとともに、ケーブル接続部に形成された外部導体固定部に、配列配置された複数の同軸ケーブルの夫々の外部導体(24b) に接続されたグラウンディングバーが固定されることにより、複数の同軸ケーブルの夫々が絶縁ハウジングに直接的に取り付けられて、ケーブル側コネクタ装置に装着されたものとされる。
【０００８】
また、絶縁ハウジングに設けられたファイバ接続部には、光ファイバーケーブルの端部に配された光電変換モジュールを収容する収容部(51)が凹部を成すものとして形成されている。この凹部を成す収容部の底面には、連結部に配された接続端子から伸びた電気接続部(60)が配されており、収容部に収容された光電変換モジュールは電気接続部に接続される。そして、光ファイバーケーブルの端部に配された光電変換モジュールが、絶縁ハウジングに設けられたファイバ接続部に形成された凹部を成す収容部に収容されて固定され、収容部の底面に配された電気接続部に接続された状態に置かれることにより、絶縁ハウジングに直接的に取り付けられて、ケーブル側コネクタ装置に装着されたものとされる。
【先行技術文献】
【特許文献】
【０００９】
【特許文献１】特開２０１１−９０８９８号公報（段落００１５〜００４０、第６〜９頁、図１〜９）
【発明の概要】
【発明が解決しようとする課題】
【００１０】
前述の従来のケーブル側コネクタ装置にあっては、それが備える絶縁ハウジングに、複数の同軸ケーブルと光ファイバーケーブルの端部に配された光電変換モジュールとの両者が直接的に取り付けられる。即ち、絶縁ハウジングに、ケーブル収容部が形成されたケーブル接続部と、光ファイバーケーブルの端部に配された光電変換モジュールを収容する収容部が凹部を成すものとして形成されたファイバ接続部とが設けられており、ケーブル接続部におけるケーブル収容部に配された複数の接点の夫々に、配列配置された複数の同軸ケーブルの夫々の端部において露出せしめられた中心導体が半田付けされるとともに、ケーブル接続部に形成された外部導体固定部に、配列配置された複数の同軸ケーブルの夫々の外部導体に接続されたグラウンディングバーが固定されることにより、複数の同軸ケーブルが絶縁ハウジングに直接に取り付けられ、また、光ファイバーケーブルの端部に配された光電変換モジュールが、ファイバ接続部における凹部を成す収容部に収容されて固定され、収容部の底面に配された電気接続部に接続された状態に置かれることにより、絶縁ハウジングに直接に取り付けられる
【００１１】
このようなもとで、光電変換モジュールは、半導体集積回路(IC)チップ等を内蔵していて、静電気作用等に起因する内部破壊や損傷を受け易い電気部品である。それゆえ、光ファイバーケーブルの端部に配された光電変換モジュールが、複数の同軸ケーブルとともに絶縁ハウジングに直接的に取り付けられるものとされる従来のケーブル側コネクタ装置にあっては、その組立工程において、光電変換モジュールに内部破壊や損傷が生じることがないように細心の注意を払うことが必要とされる。そのため、一連の組立作業の効率的進行に支障が来されるという不都合がまねかれる虞がある。
【００１２】
また、光ファイバーケーブルの端部に配された光電変換モジュールが絶縁ハウジングに取り付けられた後に、絶縁ハウジングあるいは絶縁ハウジングに取り付けられた同軸ケーブルに電気的不導通等の不都合が生じた場合には、光電変換モジュールを伴った絶縁ハウジングの全体が破棄されることになり、再利用可能な光電変換モジュールが無駄に消費されてしまうという不都合が生じる。光電変換モジュールは、通常、比較的高価であるので、再利用可能な光電変換モジュールが無駄に消費されてしまう場合には、経済的損失も少なくない。
【００１３】
斯かる点に鑑み、本願の特許請求の範囲に記載された発明は、同軸ケーブルと光ファイバーケーブルの端部に配された光電変換モジュールとの両者が装着されるケーブル側コネクタ装置として用いることができる光電気複合コネクタ装置であって、その組立工程における一連の作業を容易かつ効率的に進めることができ、しかも、光ファイバーケーブルの端部に配された光電変換モジュールが装着された後に、装着された同軸ケーブルやその他の部分に電気的不導通等の不都合が生じた場合にも、光電変換モジュールを伴った装置全体を破棄することが必要とされず、光電変換モジュールを無駄に消費することなく再利用することができるものを提供する。
【課題を解決するための手段】
【００１４】
本願の特許請求の範囲における請求項１から請求項６までのいずれかに記載された発明（以下、本発明という。）に係る光電気複合コネクタ装置は、複数のケーブルが夫々電気的に接続される複数のケーブル接続端子が設けられ、複数のケーブルが取り付けられるケーブル固定部と、光電変換モジュールが備える接続端子が接触接続される光電変換モジュール接続端子が設けられ、光電変換モジュールが配される光電変換モジュール収容部と、複数のケーブル接続端子及び光電変換モジュール接続端子の夫々の部分が配された、相手方コネクタ装置との連結部とが形成された絶縁ハウジングを備え、さらに、相互係合する第１及び第２の係合部を夫々有し、絶縁ハウジングを挟んで対向配置される第１及び第２の導電性シェルを備えて構成される。そして、第１の導電性シェルに絶縁ハウジングに係合するハウジング係合部が形成されるとともに、第２の導電性シェルに光電変換モジュールが取り付けられる光電変換モジュール固定部が形成され、第１の導電性シェルが、ケーブル固定部に複数のケーブルが取り付けられた絶縁ハウジングに、ハウジング係合部を当該絶縁ハウジングに係合させて取り付けられたもとで、光電変換モジュール固定部に光電変換モジュールが取り付けられた第２の導電性シェルが、絶縁ハウジングを挟んで第１の導電性シェルに対向せしめられたとき、光電変換モジュール固定部に取り付けられた光電変換モジュールが絶縁ハウジングに形成された光電変換モジュール収容部に配されるとともに、第２の導電性シェルが備える第２の係合部が第１の導電性シェルが備える第１の係合部に係合せしめられる。
【００１５】
絶縁ハウジングにおけるケーブル固定部及び光電変換モジュール収容部は、例えば、夫々が凹部を成すものとして形成される。
【００１６】
また、絶縁ハウジングは、例えば、ケーブル固定部及び光電変換モジュール収容部の夫々が凹部を成すものとされたもとで、ケーブル固定部及び光電変換モジュール収容部の夫々が成す凹部の底部を構成する平板状部を有しており、斯かる絶縁ハウジングに対して、例えば、第１の導電性シェルが、絶縁ハウジングが有する平板状部の外面を覆うものとされるとともに、絶縁ハウジングを挟んで第１の導電性シェルに対向せしめられた第２の導電性シェルが、ケーブル固定部及び光電変換モジュール収容部の夫々が成す凹部の開口部を部分的に覆うものとされる。
【００１７】
上述のように構成される本発明に係る光電気複合コネクタ装置にあっては、絶縁ハウジングに設けられた複数のケーブル接続端子に、例えば、複数の同軸ケーブルとされる複数のケーブルが夫々、例えば、半田付けにより電気的に接続される状態をもって、複数のケーブルの絶縁ハウジングに形成されたケーブル固定部への取付けが行われるとともに、第１の導電性シェルが、絶縁ハウジングに、ハウジング係合部を当該絶縁ハウジングに係合させる状態をもって取り付けられる。また、それとは別に、第２の導電性シェルに形成された光電変換モジュール固定部に、例えば、光ファイバーケーブルの端部に配されたものとされる光電変換モジュールが取り付けられる。そして、光電変換モジュール固定部に光電変換モジュールが取り付けられた第２の導電性シェルが、絶縁ハウジングに取り付けられた第１の導電性シェルに、ケーブル固定部に複数のケーブルが取り付けられた絶縁ハウジングを挟んで対向せしめられ、それにより、第２の導電性シェルにおける光電変換モジュール固定部に取り付けられた光電変換モジュールが、絶縁ハウジングに形成された光電変換モジュール収容部に配されるとともに、第２の導電性シェルが備える第２の係合部が第１の導電性シェルが備える第１の係合部に係合せしめられて、光電気複合コネクタ装置が組み立てられる。斯かる本発明に係る光電気複合コネクタ装置は、同軸ケーブルと光ファイバーケーブルの端部に配された光電変換モジュールとの両者が装着されるケーブル側コネクタ装置として用いることができるものとなる。
【００１８】
このようなもとで、本発明に係る光電気複合コネクタ装置の一実施例においては、絶縁ハウジングにおけるケーブル固定部及び光電変換モジュール収容部が、各々が凹部を成すものとして形成され、絶縁ハウジングが、ケーブル固定部及び光電変換モジュール収容部の夫々が成す凹部の底部を構成する平板状部を有したものとされる。そして、斯かる絶縁ハウジングに取り付けられた第１の導電性シェルが、絶縁ハウジングが有する平板状部の外面を覆うものとされるとともに、絶縁ハウジングを挟んで第１の導電性シェルに対向せしめられた第２の導電性シェルが、ケーブル固定部及び光電変換モジュール収容部の夫々が成す凹部の開口部を部分的に覆うものとされる。
【発明の効果】
【００１９】
上述の本発明に係る光電気複合コネクタ装置にあっては、例えば、複数の同軸ケーブルとされる複数のケーブルと、例えば、光ファイバーケーブルの端部に配されたものとされる光電変換モジュールと、の両者が装着されたものとされるにあたり、先ず、複数のケーブルが絶縁ハウジングに設けられたケーブル固定部に取り付けられ、それとは別に、光電変換モジュールが第２の導電性シェルに形成された光電変換モジュール固定部に取り付けられる。そして、光電変換モジュール固定部に光電変換モジュールが取り付けられた第２の導電性シェルが、絶縁ハウジングに取り付けられた第１の導電性シェルに、ケーブル固定部に複数のケーブルが取り付けられた絶縁ハウジングを挟んで対向せしめられ、それにより、第２の導電性シェルにおける光電変換モジュール固定部に取り付けられた光電変換モジュールが、絶縁ハウジングに形成された光電変換モジュール収容部に配されるとともに、第２の導電性シェルが備える第２の係合部が第１の導電性シェルが備える第１の係合部に係合せしめられて、複数のケーブルと光電変換モジュールとが装着された光電気複合コネクタ装置が組み立てられる。
【００２０】
従って、本発明に係る光電気複合コネクタ装置は、その組立工程において、光電変換モジュールに対して内部破壊や損傷が生じることがないようにする格別な注意を払うことなく、複数のケーブル及び光電変換モジュールの適正な装着を行うことができ、それゆえ、一連の組立作業を容易かつ効率的に進めることができるものとなる。
【００２１】
さらに、第２の導電性シェルが、絶縁ハウジングに取り付けられた第１の導電性シェルに、ケーブル固定部に複数のケーブルが取り付けられた絶縁ハウジングを挟んで対向せしめられ、それにより、第２の導電性シェルにおける光電変換モジュール固定部に取り付けられた光電変換モジュールが絶縁ハウジングに形成された光電変換モジュール収容部に配された後に、絶縁ハウジングにおけるケーブル固定部やそれに取り付けられた複数のケーブルに電気的不導通等の不都合が生じた場合にも、光電変換モジュールを伴った装置全体を破棄することは必要とされず、光電変換モジュール固定部に光電変換モジュールが取り付けられた第２の導電性シェルを、絶縁ハウジングを挟んで第１の導電性シェルに対向せしめられた状態から解放することにより、当該第２の導電性シェルにおける光電変換モジュール固定部に取り付けられた光電変換モジュールを、無駄に消費することなく再利用可能なものとすることができる。
【図面の簡単な説明】
【００２２】
【図１】本発明に係る光電気複合コネクタ装置の一例を、それに装着された複数のケーブル及び光ファイバーケーブルの端部に配された光電変換モジュ−ルと共に示す斜視図である。
【図２】本発明に係る光電気複合コネクタ装置の一例が備える絶縁ハウジングを、それに取り付けられた第１の導電性シェルと共に示す斜視図である。
【図３】本発明に係る光電気複合コネクタ装置の一例が備える絶縁ハウジングを、それに取り付けられた第１の導電性シェルと共に示す平面図である。
【図４】図３におけるIV−IV線に沿う断面を示す断面図である。
【図５】図３における V−V 線に沿う断面の部分を示す部分断面図である。
【図６】本発明に係る光電気複合コネクタ装置の一例が備える絶縁ハウジングに複数のケーブルが取り付けられた状態を示す斜視図である。
【図７】本発明に係る光電気複合コネクタ装置の一例が備える第２の導電性シェルを単体で示す、その外側から見た斜視図である。
【図８】本発明に係る光電気複合コネクタ装置の一例が備える第２の導電性シェルを単体で示す、その内側から見た斜視図である。
【図９】本発明に係る光電気複合コネクタ装置の一例が備える第２の導電性シェルに光電変換モジュールが取り付けられた状態を示す、第２の導電性シェルの内側から見た斜視図である。
【図１０】本発明に係る光電気複合コネクタ装置の一例が備える第２の導電性シェルに光電変換モジュールが取り付けられた状態を示す、第２の導電性シェルの外側から見た斜視図である。
【図１１】本発明に係る光電気複合コネクタ装置の一例が備える第２の導電性シェルに光電変換モジュールが取り付けられた状態を示す平面図である。
【図１２】図１１における XII−XII 線に沿う断面を示す断面図である。
【図１３】図１１におけるXIII−XIII線に沿う断面の部分を示す部分断面図である。
【図１４】本発明に係る光電気複合コネクタ装置の一例を、それに装着された複数のケーブル及び光ファイバーケーブルの端部に配された光電変換モジュ−ルと共に示す平面図である。
【図１５】図１４におけるXV−XV線に沿う断面の部分を示す部分断面図である。
【図１６】図１4 における XVI−XVI 線に沿う断面を示す断面図である。
【図１７】本発明に係る光電気複合コネクタ装置の一例を、それに装着された複数のケーブル及び光ファイバーケーブルの端部に配された光電変換モジュ−ル、及び、それが嵌合せしめられる相手方コネクタ装置と共に示す斜視図である。
【図１８】本発明に係る光電気複合コネクタ装置の一例が、複数のケーブル及び光ファイバーケーブルの端部に配された光電変換モジュ−ルが装着されたもとで、相手方コネクタ装置に嵌合せしめらた状態を示す斜視図である。
【発明を実施するための形態】
【００２３】
本発明を実施するための形態は、以下に述べられる本発明についての実施例をもって説明される。
【実施例】
【００２４】
図１は、本発明に係る光電気複合コネクタ装置の一例を、それに装着された複数のケーブル及び光ファイバーケーブルの端部に配された光電変換モジュ−ルと共に示す。
【００２５】
図１において、本発明に係る光電気複合コネクタ装置の一例を成す光電気複合コネクタ装置１１は、例えば、配列配置された複数の同軸ケーブルとされる複数のケーブル１２と光ファイバーケーブル１３の端部に配された光電変換モジュール１４とが装着されたもとで、例えば、ソリッド印刷配線基板とされる主基板にそれに設けられた電気回路構成部との電気的接続がなされて取り付けられた基板側コネクタ装置とされる相手方コネクタ装置に嵌合せしめられる、ケーブル側コネクタ装置として用いられるものとされている。そして、光電気複合コネクタ装置１１は、合成樹脂等の絶縁材料によって形成された絶縁ハウジング１５, 外部からの電磁波ノイズ対策のため絶縁ハウジング１５の外面部を部分的に覆うものとされた、例えば、各々が弾性を有した金属板材料が屈曲されて成る第１の導電性シェル１６Ａ及び第２の導電性シェル１６Ｂを備えている。
【００２６】
絶縁ハウジング１５をそれに取り付けられた第１の導電性シェル１６Ａと共に示す図２及び図３に示されるように、絶縁ハウジング１５には、複数のケーブル１２が夫々電気的に接続される複数のケーブル接続端子１７が設けられ、複数のケーブル１２が取り付けられるケーブル固定部１８と、光電変換モジュール１４が備える複数の接続端子が夫々接触接続される複数の光電変換モジュール接続端子１９が設けられ、光ファイバーケーブル１３の端部に配された光電変換モジュール１４が配される光電変換モジュール収容部２０と、ケーブル固定部１８の外部へと伸びた複数のケーブル接続端子１７の夫々の部分１７ａ及び光電変換モジュール収容部２０の外部へと伸びた複数の光電変換モジュール接続端子１９の夫々の部分１９ａが配された、相手方コネクタ装置との連結部２１と、が形成されている。
【００２７】
絶縁ハウジング１５に形成されたケーブル固定部１８は、平坦な底部を有する矩形状の凹部を成すものとされており、その内部における底部に複数のケーブル接続端子１７が配列配置されている。また、絶縁ハウジング１５に形成された光電変換モジュール収容部２０も、平坦な底部を有する矩形状の凹部を成すものとされており、その内部における底部に複数の光電変換モジュール接続端子１９が配列配置されている。これらのケーブル固定部１８が成す矩形状の凹部及び光電変換モジュール収容部２０が成す矩形状の凹部は、絶縁ハウジング１５に長手方向に沿って並べられている。絶縁ハウジング１５は、ケーブル固定部１８及び光電変換モジュール収容部２０の夫々が成す凹部の底部を構成する平板状部１５ａを有している。
【００２８】
また、絶縁ハウジング１５に形成された連結部２１は、絶縁ハウジング１５における平板状部１５ａからケーブル固定部１８及び光電変換モジュール収容部２０の外側へと突出する突出部を成し、絶縁ハウジング１５の長手方向に沿って伸びるものとされている。そして、連結部２１には、複数のケーブル接続端子１７の部分１７ａと複数の光電変換モジュール接続端子１９の部分１９ａとが、絶縁ハウジング１５の長手方向に沿って配列配置されている。
【００２９】
第１の導電性シェル１６Ａには、絶縁ハウジング１５に係合するハウジング係合部２２が形成されており、また、第１の導電性シェル１６Ａは、絶縁ハウジング１５の長手方向における両端部の外方に突出するものとされる一対の係合部２３と絶縁ハウジング１５の長手方向における両端部に位置するものとされる一対の係合部２４とを有している。一対の係合部２３の夫々は、絶縁ハウジング１５の長手方向に沿って伸びるＵ字溝状を成すものとされていて、その外面部に係合突起２３ａが設けられている。また、一対の係合部２４の夫々の外面部には、係合突起２４ａが設けられている。
【００３０】
このような第１の導電性シェル１６Ａは、それに形成されたハウジング係合部２２が、絶縁ハウジング１５におけるケーブル固定部１８及び光電変換モジュール収容部２０の夫々の底部を構成する平板状部１５ａの外面を全面的もしくは略全面的に覆う状態をもって絶縁ハウジング１５に密着するものとされて、ハウジング係合部２２に取り付けられる。そして、絶縁ハウジング１５に形成されたケーブル固定部１８及び光電変換モジュール収容部２０の夫々が成す凹部の開口部、さらには、絶縁ハウジング１５に形成された連結部２１における複数のケーブル接続端子１７の部分１７ａと複数の光電変換モジュール接続端子１９の部分１９ａとが配列配置された部分は、第１の導電性シェル１６Ａによっては覆われない。
【００３１】
絶縁ハウジング１５に形成された光電変換モジュール収容部２０の内部における底部に配列配置された複数の光電変換モジュール接続端子１９は、各々が、その全体が、例えば、弾性を有した金属板材料が屈曲されて形成されたものとされている。そして、図３におけるIV−IV線に沿う断面を示す図４に示されるように、複数の光電変換モジュール接続端子１９の夫々は、前述の部分１９ａに加えて、光電変換モジュール収容部２０の底部からその外方に若干突出する弾性折返し部１９ｂを有している。
【００３２】
また、図３における V−V 線に沿う断面を示す図５にも示されるように、絶縁ハウジング１５に形成された光電変換モジュール収容部２０が成す凹部には、絶縁ハウジング１５の長手方向における対向端縁部の夫々に、切欠き部２５が形成されている。
【００３３】
第１の導電性シェル１６Ａが取り付けられた絶縁ハウジング１５には、図６に示されるように、それに形成されたケーブル固定部１８に、配列配置された複数の同軸ケーブルとされる複数のケーブル１２が取り付けられる。配列配置された複数のケーブル１２が絶縁ハウジング１５に形成されたケーブル固定部１８に取り付けられるにあたっては、複数のケーブル１２の夫々である同軸ケーブルの一端部に、絶縁被覆及び内部絶縁層が除去されて外側導体２６及び中心導体２７が露出せしめられる処理が施され、複数のケーブル１２の外側導体２６がグラウンディング・バー２８によって連結される。そして、各々の外側導体２６がグラウンディング・バー２８によって連結された複数のケーブル１２の夫々の一端部が、絶縁ハウジング１５に形成されたケーブル固定部１８が成す凹部に収容されて、複数のケーブル１２の中心導体２７が、ケーブル固定部１８が成す凹部の内部における底部に配列配置された複数のケーブル接続端子１７に夫々、例えば、半田付けによって接続される。それにより、複数のケーブル１２の夫々の一端部が絶縁ハウジング１５に形成されたケーブル固定部１８に固定され、配列配置された複数の同軸ケーブルとされる複数のケーブル１２が、絶縁ハウジング１５に形成されたケーブル固定部１８に取り付けられた状態が得られる。
【００３４】
図７及び図８は、光電気複合コネクタ装置１１が備える第２の導電性シェル１６Ｂを単体で示す。
【００３５】
図７及び図８に示されるように、第２の導電性シェル１６Ｂには、光ファイバーケーブル１３の端部に配された光電変換モジュール１４の取付けがなされる光電変換モジュール固定部３０が形成されている。光電変換モジュール固定部３０は、光電変換モジュール１４の外面部に密接する平板状部３１と、光電変換モジュール１４の外面部に三方から当接して光電変換モジュール１４の位置決めを行う位置規制部３２と、位置決めされた光電変換モジュール１４に係合して光電変換モジュール１４を係止する一対の係止爪部３３とを含んでいる。位置規制部３２及び係止爪部３３の夫々は、平板状部３１の周囲に配された切起し部を成すものとされている。
【００３６】
さらに、第２の導電性シェル１６Ｂは、その長手方向における両端部に一対の係合部３４と一対の係合部３５とを有している。一対の係合部３４の夫々は、第２の導電性シェル１６Ｂの長手方向に沿って伸びるＵ字溝状を成すものとされていて、その側壁部に係合孔３４ａが設けられている。また、一対の係合部３５の夫々には、係合孔３５ａが設けられている。
【００３７】
上述の第１の導電性シェル１６Ａにおける一対の係合部２３及び第２の導電性シェル１６Ｂにおける一対の係合部３４は、相互係合する第１及び第２の係合部を成すものとされており、また、上述の第１の導電性シェル１６Ａにおける一対の係合部２４及び第２の導電性シェル１６Ｂにおける一対の係合部３５も、相互係合する第１及び第２の係合部を成すものとされている。
【００３８】
第２の導電性シェル１６Ｂに形成された光電変換モジュール固定部３０には、図９〜図１１に示されるように、光ファイバーケーブル１３の端部に配された光電変換モジュール１４が取り付けられる。光電変換モジュール１４が光電変換モジュール固定部３０に取り付けられるにあたっては、図１１における XII−XII 線に沿う断面を示す図１２及び図１１におけるXIII−XIII線に沿う断面の部分を示す図１３に示されるように、光電変換モジュール固定部３０の平板状部３１が光電変換モジュール１４の外面部に密接せしめられ、光電変換モジュール固定部３０の位置規制部３２が光電変換モジュール１４の外面部に三方から当接して光電変換モジュール１４を位置決めし、さらに、光電変換モジュール固定部３０の一対の係止爪部３３の夫々が、位置規制部３２によって位置決めされた光電変換モジュール１４に係合して、光電変換モジュール１４を係止する。
【００３９】
図９及び図１２に示されるように、光電変換モジュール１４における光電変換モジュール固定部３０の平板状部３１が密接せしめられる外面とは反対側の外面に、複数の接続端子４０が配列配置されて設けられている。斯かる複数の接続端子４０は、光ファイバーケーブル１３の端部に配された光電変換モジュール１４が第２の導電性シェル１６Ｂに形成された光電変換モジュール固定部３０に取り付けられたとき、他の部材によって覆われることなく、外部に臨むものとされる。
【００４０】
上述のようにして、配列配置された複数の同軸ケーブルとされる複数のケーブル１２が、第１の導電性シェル１６Ａが取り付けられた絶縁ハウジング１５に形成されたケーブル固定部１８に取り付けられるとともに、光ファイバーケーブル１３の端部に配された光電変換モジュール１４が、第２の導電性シェル１６Ｂに形成された光電変換モジュール固定部３０に取り付けられたもとにおいて、光ファイバーケーブル１３の端部に配された光電変換モジュール１４が光電変換モジュール固定部３０に取り付けられた第２の導電性シェル１６Ｂが、絶縁ハウジング１５に取り付けられた第１の導電性シェル１６Ａに、光電変換モジュール１４を絶縁ハウジング１５に向けた状態をもって絶縁ハウジング１５を挟んで対向するものとされ、それにより、図１及び図１４に示される、配列配置された複数の同軸ケーブルとされる複数のケーブル１２と光ファイバーケーブル１３の端部に配された光電変換モジュール１４とが装着された光電気複合コネクタ装置１１が組み立てられる。
【００４１】
斯かる際には、光ファイバーケーブル１３の端部に配された光電変換モジュール１４が光電変換モジュール固定部３０に取り付けられた第２の導電性シェル１６Ｂが、絶縁ハウジング１５に形成された、複数のケーブル１２が取り付けられたケーブル固定部１８及び光電変換モジュール収容部２０の夫々が成す凹部の開口部を、部分的に覆うものとされる。そして、図１及び図１４におけるXV−XV線に沿う断面の部分を示す図１５に示されるように、第２の導電性シェル１６Ｂにおける光電変換モジュール固定部３０に取り付けられた光電変換モジュール１４が、絶縁ハウジング１５に形成された光電変換モジュール収容部２０に配される。即ち、第２の導電性シェル１６Ｂにおける光電変換モジュール固定部３０に取り付けられた光電変換モジュール１４が、絶縁ハウジング１５に形成された光電変換モジュール収容部２０が成す矩形状の凹部に収容されるのである。その際、光電変換モジュール収容部２０を位置決めする、第２の導電性シェル１６Ｂにおける光電変換モジュール固定部３０に含まれる相互対向する一対の位置規制部３２が、光電変換モジュール収容部２０が成す凹部に形成された相互対向する一対の切欠き部２５に夫々収容される。
【００４２】
また、このとき、第２の導電性シェル１６Ｂにおける一対の係合部３４が、第１の導電性シェル１６Ａにおける一対の係合部２３に夫々係合せしめられる。その際、一対の係合部２３の夫々の外面部に設けられた係合突起２３ａが、一対の係合部３４の夫々に設けられた係合孔３４ａに嵌合し、それにより、係合部３４が係合部２３に対して係止される。また、それとともに、第２の導電性シェル１６Ｂにおける一対の係合部３５が、第１の導電性シェル１６Ａにおける一対の係合部２４に夫々係合せしめられる。その際、一対の係合部２４の夫々の外面部に設けられた係合突起２４ａが、一対の係合部３５の夫々に設けられた係合孔３５ａに嵌合し、それにより、係合部３５が係合部２４に対して係止される。このようにして、第２の導電性シェル１６Ｂにおける一対の係合部３４が第１の導電性シェル１６Ａにおける一対の係合部２３に対して夫々係止されるとともに、第２の導電性シェル１６Ｂにおける一対の係合部３５が第１の導電性シェル１６Ａにおける一対の係合部２４に対して夫々係止されることにより、光ファイバーケーブル１３の端部に配された光電変換モジュール１４が光電変換モジュール固定部３０に取り付けられた第２の導電性シェル１６Ｂが、光電変換モジュール１４を絶縁ハウジング１５に向けた状態をもって絶縁ハウジング１５を挟んで対向するものとされた、絶縁ハウジング１５に取り付けられた第１の導電性シェル１６Ａに対して係止される。
【００４３】
さらに、斯かる際、図１４における XVI−XVI 線に沿う断面を示す図１６に示されるように、絶縁ハウジング１５に形成された光電変換モジュール収容部２０に配された光電変換モジュール１４の外面に設けられた複数の接続端子４０の夫々が、光電変換モジュール収容部２０の内部における底部に配列配置された複数の光電変換モジュール接続端子１９のうちの対応するものが有する弾性折返し部１９ｂに、押圧接触せしめられる。それにより、光電変換モジュール収容部２０に配された光電変換モジュール１４が、複数の接続端子４０を通じて、絶縁ハウジング１５における複数の光電変換モジュール接続端子１９に電気的に接続される。
【００４４】
上述のようにして組み立てられた光電気複合コネクタ装置１１は、例えば、ソリッド印刷配線基板とされる主基板にそれに設けられた電気回路構成部との電気的接続がなされて取り付けられた基板側コネクタ装置とされる相手方コネクタ装置に嵌合せしめられて用いられるが、その際には、まず、図１７に示されるように、絶縁ハウジング１５に形成された連結部２１を、相手方コネクタ装置の一例を成す相手方コネクタ装置４１に向けた状態をもって、相手方コネクタ装置４１に対して対向配置される。
【００４５】
相手方コネクタ装置４１は、主基板（図示が省略されている。）に配されたものとされる。そして、相手方コネクタ装置４１には、合成樹脂等の絶縁材料によって形成されて、光電気複合コネクタ装置１１における連結部２１が差し込まれる開口部４２が設けられた絶縁ハウジング４３と、絶縁ハウジング４３の外面部を覆う導電性シェル４４とが備えられる。
【００４６】
相手方コネクタ装置４１の絶縁ハウジング４３にあっては、開口部４２に連なる内部空間内に、光電気複合コネクタ装置１１における連結部２１に配列配置された、複数のケーブル接続端子１７の部分１７ａ及び複数の光電変換モジュール接続端子１９の部分１９ａが夫々接触接続される、複数のコンタクト（図には現れていない。）が配列配置されている。これらの相手方コネクタ装置４１における複数のコンタクトは、主基板に設けられた電気回路構成部に接続されている。
【００４７】
また、相手方コネクタ装置４１の導電性シェル４４には、相手方コネクタ装置４１の長手方向における両端部に、主基板に固着される基板連結部４４ａが設けられている。これらの基板連結部４４ａは、主基板に固着されることにより相手方コネクタ装置４１を主基板に固定する役割と導電性シェル４４に主基板からの接地電位を与える役割とを果たす。
【００４８】
続いて、光電気複合コネクタ装置１１が相手方コネクタ装置４１に近接せしめられ、光電気複合コネクタ装置１１の絶縁ハウジング１５に形成された連結部２１が、相手方コネクタ装置４１の絶縁ハウジング４３に設けられた開口部４２に差し込まれて、図１８に示されるように、光電気複合コネクタ装置１１が相手方コネクタ装置４１に嵌合せしめられた状態におかれる。このようにして、光電気複合コネクタ装置１１が相手方コネクタ装置４１に嵌合せしめられたときには、光電気複合コネクタ装置１１の絶縁ハウジング１５に形成された連結部２１に配列配置された、複数のケーブル接続端子１７の部分１７ａ及び複数の光電変換モジュール接続端子１９の部分１９ａが、相手方コネクタ装置４１の絶縁ハウジング４３内に配された複数のコンタクトに夫々接触接続され、それにより、光電気複合コネクタ装置１１に装着された、配列配置された複数の同軸ケーブルとされる複数のケーブル１２と光ファイバーケーブル１３の端部に配された光電変換モジュール１４とが、相手方コネクタ装置４１を介して、相手方コネクタ装置４１が配された主基板に設けられた電気回路構成部に電気的に接続される。
【００４９】
上述の光電気複合コネクタ装置１１にあっては、配列配置された複数の同軸ケーブルとされる複数のケーブル１２と光ファイバーケーブル１３の端部に配された光電変換モジュール１４との両者が装着されたものとされるにあたり、先ず、複数のケーブル１２が絶縁ハウジング１５に設けられたケーブル固定部１８に取り付けられ、それとは別に、光電変換モジュール１４が第２の導電性シェル１６Ｂに形成された光電変換モジュール固定部３０に取り付けられる。そして、光電変換モジュール固定部３０に光電変換モジュール１４が取り付けられた第２の導電性シェル１６Ｂが、絶縁ハウジング１5 に取り付けられた第１の導電性シェル１６Ａに、ケーブル固定部１８に複数のケーブル１２が取り付けられた絶縁ハウジング１５を挟んで対向せしめられ、それにより、第２の導電性シェル１６Ｂにおける光電変換モジュール固定部３０に取り付けられた光電変換モジュール１４が、絶縁ハウジング１５に形成された光電変換モジュール収容部２０に配されるとともに、第２の導電性シェル１６Ｂが備える係合部３４及び３５が第１の導電性シェル１６Ａが備える係合部２３及び２４に係合せしめられて、複数のケーブル１２と光電変換モジュール１４とが装着された光電気複合コネクタ装置１１が組み立てられる。
【００５０】
従って、光電気複合コネクタ装置１１は、その組立工程において、光電変換モジュール１４に対して内部破壊や損傷が生じることがないようにする格別な注意を払うことなく、複数のケーブル１２及び光電変換モジュール１４の適正な装着を行うことができ、それゆえ、一連の組立作業を容易かつ効率的に進めることができるものとなる。
【００５１】
さらに、第２の導電性シェル１６Ｂが、絶縁ハウジング１５に取り付けられた第１の導電性シェル１６Ａに、ケーブル固定部１８に複数のケーブル１２が取り付けられた絶縁ハウジング１５を挟んで対向せしめられ、それにより、第２の導電性シェル１６Ｂにおける光電変換モジュール固定部３０に取り付けられた光電変換モジュール１４が絶縁ハウジング１５に形成された光電変換モジュール収容部２０に配された後に、絶縁ハウジング１５におけるケーブル固定部１８やそれに取り付けられた複数のケーブル１２に電気的不導通等の不都合が生じた場合にも、光電変換モジュール１４を伴った装置全体を破棄することは必要とされず、光電変換モジュール固定部３０に光電変換モジュール１４が取り付けられた第２の導電性シェル１６Ｂを、絶縁ハウジング１５を挟んで第１の導電性シェル１６Ａに対向せしめられた状態から解放することにより、当該第２の導電性シェル１６Ｂにおける光電変換モジュール固定部３０に取り付けられた光電変換モジュール１４を、無駄に消費することなく再利用可能なものとすることができる。
【産業上の利用可能性】
【００５２】
以上のような本発明に係る光電気複合コネクタ装置は、同軸ケーブルと光ファイバーケーブルの端部に配された光電変換モジュールとの両者が装着されるケーブル側コネクタ装置として用いることができるものであって、その組立工程における一連の作業を容易かつ効率的に進めることができ、しかも、光ファイバーケーブルの端部に配された光電変換モジュールが装着さられた後に、装着された同軸ケーブルやその他の部分に電気的不導通等の不都合が生じた場合にも、光電変換モジュールを伴った装置全体を破棄することが必要とされず、光電変換モジュールを無駄に消費することなく再利用することができるものとして、様々な電子機器等に広く適用され得るものである。
【符号の説明】
【００５３】
１１・・・光電気複合コネクタ装置，  １２・・・ケーブル，  １３・・・光ファイバーケーブル，１４・・・光電変換モジュール，  １５，４３・・・絶縁ハウジング，  １６Ａ・・・第１の導電性シェル，  １６Ｂ・・・第２の導電性シェル，  １７・・・ケーブル接続端子，  １８・・・ケーブル固定部，  １９・・・光電変換モジュール接続端子，  ２０・・・光電変換モジュール収容部，  ２１・・・連結部，  ２２・・・ハウジング係合部，  ２３，２４，３４，３５・・・係合部，  ２５・・・切欠き部，  ２６・・・外側導体，  ２７・・・中心導体，  ２８・・・グラウンディング・バー，  ３０・・・光電変換モジュール固定部，  ３１・・・平板状部，  ３２・・・位置規制部，  ３３・・・係止爪部，  ４１・・・相手方コネクタ装置，  ４２・・・開口部，  ４４・・・導電性シェル
【図１】
2014096266.tif 000003
【図２】
2014096266.tif 000004
【図３】
2014096266.tif 000005
【図４】
2014096266.tif 000006
【図５】
2014096266.tif 000007
【図６】
2014096266.tif 000008
【図７】
2014096266.tif 000009
【図８】
2014096266.tif 000010
【図９】
2014096266.tif 000011
【図１０】
2014096266.tif 000012
【図１１】
2014096266.tif 000013
【図１２】
2014096266.tif 000014
【図１３】
2014096266.tif 000015
【図１４】
2014096266.tif 000016
【図１５】
2014096266.tif 000017
【図１６】
2014096266.tif 000018
【図１７】
2014096266.tif 000019
【図１８】
2014096266.tif 000020